(57)【要約】【課題】交換や調整をしなくとも、サイズの異なるナットやボルトに対応できるレンチを提供する。【解決手段】ナット又はボルトを回す際に用いられるレンチであって、ナットの一部又はボルトの頭部の一部が嵌合する凹部を有する柱状の本体部と、本体部の側面から延びる把持部と、を備え、凹部は、本体部の一方の底面に開口する第１凹部と、本体部の他方の底面又は第１凹部の底面に開口する第２凹部と、を含み、第２凹部の開口部は、第１凹部の開口部よりも小さい。【選択図】図１
2019018256.tif 000002
【特許請求の範囲】
【請求項１】
ナット又はボルトを回す際に用いられるレンチであって、
該ナットの一部又は該ボルトの頭部の一部が嵌合する凹部を有する柱状の本体部と、
該本体部の側面から延びる把持部と、を備え、
該凹部は、該本体部の一方の底面に開口する第１凹部と、該本体部の他方の底面又は該第１凹部の底面に開口する第２凹部と、を含み、
該第２凹部の開口部は、該第１凹部の開口部よりも小さいことを特徴とするレンチ。
【請求項２】
該本体部の該側面から延びる２本以上の該把持部を備えることを特徴とする請求項１に記載のレンチ。
【発明の詳細な説明】
【技術分野】
【０００１】
本発明は、ナットやボルトを回す際に用いられるレンチに関する。
【背景技術】
【０００２】
ナットやボルトと呼ばれる締結具を用いて装置や機器等に部品を固定することがある。この場合、例えば、部品の大きさや重量等の条件に合わせて、締結具のサイズが選択される。なお、締結具を締め込んだり緩めたりする際には、そのサイズに合うレンチが用いられる（例えば、特許文献１参照）。
【先行技術文献】
【特許文献】
【０００３】
【特許文献１】特開２００６−２２４２８７号公報
【発明の概要】
【発明が解決しようとする課題】
【０００４】
ところで、サイズの異なる複数の締結具を締め込んだり緩めたりする際には、締結具毎にレンチを交換し、又は、レンチのサイズを調整する必要がある。そのため、従来のレンチを使用すると、作業者の手間が多くなり、必ずしも十分な作業効率を得られないこともあった。
【０００５】
本発明はかかる問題点に鑑みてなされたものであり、その目的とするところは、交換や調整をしなくとも、サイズの異なるナットやボルトに対応できるレンチを提供することである。
【課題を解決するための手段】
【０００６】
本発明の一態様によれば、ナット又はボルトを回す際に用いられるレンチであって、該ナットの一部又は該ボルトの頭部の一部が嵌合する凹部を有する柱状の本体部と、該本体部の側面から延びる把持部と、を備え、該凹部は、該本体部の一方の底面に開口する第１凹部と、該本体部の他方の底面又は該第１凹部の底面に開口する第２凹部と、を含み、該第２凹部の開口部は、該第１凹部の開口部よりも小さいレンチが提供される。
【０００７】
本発明の一態様において、該本体部の該側面から延びる２本以上の該把持部を備えても良い。
【発明の効果】
【０００８】
本発明の一態様に係るレンチは、本体部の一方の底面に開口する第１凹部と、本体部の他方の底面又は第１凹部の底面に開口する第２凹部と、を有している。そして、第２凹部の開口部は、第１凹部の開口部よりも小さくなっている。そのため、この第１凹部と第２凹部とにより、サイズの異なるナットやボルトに対応できる。このように、本発明の一態様に係るレンチによれば、交換や調整をしなくとも、サイズの異なるナットやボルトに対応できる。
【図面の簡単な説明】
【０００９】
【図１】レンチの外観を模式的に示す斜視図である。
【図２】レンチの外観を模式的に示す平面図である。
【図３】第１使用例を模式的に示す斜視図である。
【図４】図４（Ａ）及び図４（Ｂ）は、第１使用例を模式的に示す断面図である。
【図５】図５（Ａ）及び図５（Ｂ）は、第２使用例を模式的に示す断面図である。
【図６】図６（Ａ）及び図６（Ｂ）は、第１変形例に係るレンチの使用例を模式的に示す断面図である。
【図７】図７（Ａ）、図７（Ｂ）及び図７（Ｃ）は、第２変形例に係るレンチの使用例を模式的に示す断面図である。
【発明を実施するための形態】
【００１０】
添付図面を参照して、本発明の一態様に係る実施形態について説明する。図１は、本実施形態に係るレンチ２の外観を模式的に示す斜視図であり、図２は、レンチ２の外観を模式的に示す平面図である。図１及び図２に示すように、レンチ２は、金属や樹脂等で円柱状に構成された本体部４と、本体部４の側面４ａから外向きに延びる２組の把持部６と、を備えている。各把持部６の長さは、例えば、本体部４の底面４ｂ，４ｃ（図４（Ａ）等参照）の直径よりも短くなっている。
【００１１】
本体部４には、凹部８が設けられている。この凹部８は、例えば、本体部４の一方の底面４ｂに開口する第１凹部１０を含む。第１凹部１０の開口部１０ａの形状は多角形状、代表的には、六角形状である。この第１凹部１０は、開口部１０ａに対応する形状（本実施形態では、六角柱状）及び大きさのナット（又はボルトの頭部）と嵌合できるように構成されている。
【００１２】
また、凹部８は、第１凹部１０の底面１０ｂに開口する第２凹部１２を含む。第２凹部１２の開口部１２ａの形状は多角形状、代表的には、六角形状である。この第２凹部１２も、開口部１２ａに対応する形状（本実施形態では、六角柱状）及び大きさのナット（又はボルトの頭部）と嵌合できるように構成されている。
【００１３】
ただし、第２凹部１２の開口部１２ａは、第１凹部１０の開口部１０ａよりも小さい。すなわち、第２凹部１２に嵌合するナット（又はボルトの頭部）は、第１凹部１０に嵌合するナット（又はボルトの頭部）よりも小さい。一方で、第１凹部１０及び第２凹部１２の深さに特段の制限はない。第１凹部１０及び第２凹部１２は、少なくとも、ナット（又はボルトの頭部）の一部と嵌合できる程度に深ければ良い。
【００１４】
また、図２に示すように、第２凹部１２の底面１２ｂには、平面視で円形の逃げ穴１４が形成されている。この逃げ穴１４は、例えば、ナットを第２凹部１２に嵌合させて雄螺子に締め込む際に、ナットから底面１２ｂ側に突出する雄螺子を逃がす機能を持つ。ただし、この逃げ穴１４は省略されても良い。
【００１５】
上述のように、本実施形態のレンチ２は、本体部４の一方の底面４ｂに開口する第１凹部１０と、この第１凹部１０の底面１０ｂに開口する第２凹部１２と、を有している。そして、第２凹部１２の開口部１２ａは、第１凹部１０の開口部１０ａよりも小さくなっている。そのため、この第１凹部１０と第２凹部１２とにより、サイズの異なるナットやボルトに対応できる。
【００１６】
本実施形態に係るレンチ２の使用例について説明する。図３は、レンチ２の第１使用例を模式的に示す斜視図であり、図４（Ａ）及び図４（Ｂ）は、レンチ２の第１使用例を模式的に示す断面図である。この第１使用例では、雄螺子１１に対して、第１凹部１０に対応する大きさのナット１３を締め込む。
【００１７】
具体的には、まず、レンチ２の第１凹部１０にナット１３を嵌合させる。そして、図３及び図４（Ａ）に示すように、雄螺子１１の先端をナット１３の穴に挿入し、レンチ２の本体部４を所定の方向に回転させる。この時、２組の把持部６を把持して、レンチ２の本体部４を雄螺子１１に対して回転させると良い。
【００１８】
これにより、図４（Ｂ）に示すように、雄螺子１１に対してナット１３を締め込むことができる。なお、本実施形態では、２組の把持部６を本体部４の底面４ｂ，４ｃの直径よりも短くしているので、例えば、作業領域が狭い場合等でも把持部６が邪魔になることはない。一方で、雄螺子１１からナット１３を取り外す（緩める）場合には、レンチ２の本体部４を所定の方向とは逆の方向に回転させれば良い。
【００１９】
図５（Ａ）及び図５（Ｂ）は、レンチ２の第２使用例を模式的に示す断面図である。この第２使用例では、雄螺子１５に対して、第２凹部１２に対応する大きさのナット１７を締め込む。具体的には、まず、レンチ２の第２凹部１２にナット１７を嵌合させる。そして、図５（Ａ）に示すように、雄螺子１５の先端をナット１７の穴に挿入し、レンチ２の本体部４を所定の方向に回転させる。
【００２０】
この時も、２組の把持部６を把持して、レンチ２の本体部４を雄螺子１５に対して回転させると良い。これにより、図５（Ｂ）に示すように、雄螺子１５に対してナット１７を締め込むことができる。２組の把持部６は本体部４の底面４ｂ，４ｃの直径よりも短いので、作業領域が狭い場合等でも把持部６が邪魔になることはない。一方で、雄螺子１５からナット１７を取り外す（緩める）場合には、レンチ２の本体部４を所定の方向とは逆の方向に回転させれば良い。
【００２１】
なお、本実施形態では、第１凹部１０及び開口部１０ａを六角柱状のナット（又はボルトの頭部）と嵌合できるように構成しているが、第１凹部１０及び開口部１０ａの形状等は、対象となるナット（又はボルトの頭部）の形状等に応じて変更できる。第２凹部１２及び開口部１２ａの形状等についても同様である。
【００２２】
また、本実施形態では、第１凹部１０及び第２凹部１２を含む凹部８を備えたレンチ２について説明しているが、レンチ２が備える凹部８の具体的な態様に特段の制限はない。例えば、形状や大きさの異なる３以上の凹部をレンチ２に設けても良い。更に、本体部４の他方の底面４ｃに凹部が開口していても良い。
【００２３】
また、本実施形態では、雄螺子に対してナットを締め込む場合、及び雄螺子からナットを取り外す場合（緩める場合）を例に挙げて説明したが、ボルトを雌螺子に対して締め込む場合や雌螺子からボルトを取り外す場合（緩める場合）も同様である。この場合には、第１凹部１０又は第２凹部１２にボルトの頭部を嵌合させた上で、レンチ２の本体部４を回転させれば良い。
【００２４】
図６（Ａ）及び図６（Ｂ）は、第１変形例に係るレンチ２の使用例を模式的に示す断面図である。図６（Ａ）及び図６（Ｂ）に示すように、第１変形例に係るレンチ２の基本的な構造は、上記実施形態に係るレンチ２と共通である。例えば、第１変形例に係るレンチ２は、本体部４と、２組の把持部６と、を備えている。
【００２５】
一方で、第１変形例に係るレンチ２の凹部８は、上記実施形態に係る凹部８とは異なっている。具体的に、凹部８は、本体部４の一方の底面４ｂに開口する第１凹部２０を含む。第１凹部２０の開口部の形状は多角形状、代表的には、六角形状である。第１凹部２０は、その開口部に対応する形状（本実施形態では、六角柱状）及び大きさのナット（又はボルトの頭部）と嵌合できるように構成されている。
【００２６】
また、凹部８は、第１凹部２０の底面２０ａに開口する第２凹部２２を含む。第２凹部２２の開口部の形状は多角形状、代表的には、六角形状である。この第２凹部２２も、開口部に対応する形状（本実施形態では、六角柱状）及び大きさのナット（又はボルトの頭部）と嵌合できるように構成されている。
【００２７】
更に、凹部８は、第２凹部２２の底面２２ａに開口する第３凹部２４を含む。第３凹部２４の開口部の形状は多角形状、代表的には、六角形状である。この第３凹部２４も、開口部に対応する形状（本実施形態では、六角柱状）及び大きさのナット（又はボルトの頭部）と嵌合できるように構成されている。
【００２８】
更に、凹部８は、第３凹部２４の底面２４ａ及び本体部４の他方の底面４ｃに開口する貫通穴２６を含む。貫通穴２６の開口部の形状は多角形状、代表的には、六角形状である。貫通穴２６は、その２個の開口部に対応する形状（本実施形態では、六角柱状）及び大きさのナット（又はボルトの頭部）と嵌合できるように構成されている。
【００２９】
ただし、第３凹部２４の開口部は、第２凹部２２の開口部よりも小さく、第２凹部２２の開口部は、第１凹部２０の開口部よりも小さい。すなわち、第３凹部２４に嵌合するナット（又はボルトの頭部）は、第２凹部２２に嵌合するナット（又はボルトの頭部）よりも小さく、第２凹部２２に嵌合するナット（又はボルトの頭部）は、第１凹部２０に嵌合するナット（又はボルトの頭部）よりも小さい。
【００３０】
また、貫通穴２６の２個の開口部は、共に、第３凹部２４の開口部よりも小さい。すなわち、貫通穴２６に嵌合するナット（又はボルトの頭部）は、第３凹部２４に嵌合するナット（又はボルトの頭部）よりも小さい。一方で、第１凹部２０、第２凹部２２、第３凹部２４、及び貫通穴２６の深さに特段の制限はない。第１凹部２０、第２凹部２２、第３凹部２４、及び貫通穴２６は、少なくとも、ナット（又はボルトの頭部）の一部と嵌合できる程度に深ければ良い。
【００３１】
図６（Ａ）及び図６（Ｂ）に示す使用例では、この第１変形例に係るレンチ２を用い、雄螺子１９に対して、貫通穴２６に対応する大きさのナット２１を締め込む。具体的には、まず、レンチ２の貫通穴２６にナット２１を嵌合させる。そして、図６（Ａ）に示すように、雄螺子１９の先端をナット２１の穴に挿入し、レンチ２の本体部４を所定の方向に回転させる。
【００３２】
これにより、図６（Ｂ）に示すように、雄螺子１９に対してナット２１を締め込むことができる。一方で、雄螺子１１からナット１３を取り外す（緩める）場合には、レンチ２の本体部４を所定の方向とは逆の方向に回転させれば良い。
【００３３】
図７（Ａ）、図７（Ｂ）及び図７（Ｃ）は、第２変形例に係るレンチ２の使用例を模式的に示す断面図である。図７（Ａ）、図７（Ｂ）及び図７（Ｃ）に示すように、第２変形例に係るレンチ２の基本的な構造は、上記実施形態に係るレンチ２と共通である。例えば、第２変形例に係るレンチ２は、本体部４と、２組の把持部６と、を備えている。
【００３４】
また、本体部４には、第１凹部１０と第２凹部１２とを含む凹部８が設けられている。一方で、第２変形例に係るレンチ２には、底のある逃げ穴１４の代わりに、貫通穴１６が形成されている。すなわち、貫通穴１６は、第２凹部１２の底面１２ｂ及び本体部４の他方の底面４ｃに開口している。
【００３５】
図７（Ａ）、図７（Ｂ）及び図７（Ｃ）に示す使用例では、装置の外壁３１に設けられた管継ぎ手３３に対して管３５を取り付けた上で、この第２変形例に係るレンチ２を用いてナット３７を締め込む。なお、管継ぎ手３３は、第１雄螺子部３３ａと頭部３３ｂとを含むボルト部を有している。
【００３６】
このボルト部は、予め外壁３１の雌螺子部３１ａに締め込まれている。また、ボルト部の頭部３３ｂには、第１雄螺子部３３ａと反対の向きに突出する第２雄螺子部３３ｃが設けられている。更に、第２雄螺子部３３ｃの先端には、管３５を取り付けるための管装着部３３ｄが設けられている。
【００３７】
まず、図７（Ａ）に示すように、ナット３７の穴及びレンチ２の貫通穴１６を通じて、菅３５の一端部を管装着部３３ｄに取り付ける。次に、レンチ２を移動させて、第１凹部１０にナット３７を嵌合させる。そして、第２雄螺子部３３ｃの先端をナット３７の穴に挿入し、レンチ２の本体部４を所定の方向に回転させる。
【００３８】
これにより、図７（Ｂ）に示すように、第２雄螺子部３３ｃに対してナット３７を締め込んで、菅３５を管装着部３３ｄに強く固定できる。第２雄螺子部３３ｃに対してナット３７を締め込んだ後には、図７（Ｃ）に示すように、レンチ２を移動させて、菅３５の他端側からレンチ２を引き抜けば良い。
【００３９】
その他、上記実施形態に係る構成、方法等は、本発明の目的の範囲を逸脱しない限りにおいて適宜変更して実施できる。
【符号の説明】
【００４０】
２  レンチ
４  本体部
４ａ  側面
４ｂ，４ｃ  底面
６  把持部
８  凹部
１０  第１凹部
１０ａ  開口部
１０ｂ  底面
１２  第２凹部
１２ａ  開口部
１２ｂ  底面
１４  逃げ穴
１６  貫通穴
２０  第１凹部
２０ａ  底面
２２  第２凹部
２２ａ  底面
２４  第３凹部
２４ａ  底面
２６  貫通穴
１１，１５，１９  雄螺子
１３，１７，２１  ナット
３１  外壁
３１ａ  雌螺子部
３３  管継ぎ手
３３ａ  第１雄螺子部
３３ｂ  頭部
３３ｃ  第２雄螺子部
３３ｄ  管装着部
３５  管
３７  ナット
【図１】
2019018256.tif 000003
【図２】
2019018256.tif 000004
【図３】
2019018256.tif 000005
【図４】
2019018256.tif 000006
【図５】
2019018256.tif 000007
【図６】
2019018256.tif 000008
【図７】
2019018256.tif 000009